(57)【要約】      （修正有）【課題】回転防止可能な伸縮杖を提供する。【解決手段】相対的に伸縮可能に連結される第一支柱０１と第二支柱０３を備える。第二支柱の外径は、第一支柱の内径より小さく、第二支柱の上端部は、第一支柱内に結合される。第二支柱の外壁には、径方向に沿って外側へ突出し、且つ弾性のある位置決めピン３０２が設けられる。第一支柱の内壁の所定位置には、位置決めピンに対応する位置決め溝３０３が設けられる。位置決め溝は、二個または二個以上で、各位置決め溝は、間隔を開けて直線に沿って第一支柱の内壁に配置される。第二支柱の外壁には、径方向に沿って外側へ突出したブロック３０１が形成され、第一支柱の内壁には、ブロックが縦方向にスライドするようにガイドするガイド溝１０１が設けられる。【選択図】図２
0003188581.tif 000002
【実用新案登録請求の範囲】
【請求項１】
回転防止可能な伸縮杖において、相対的に伸縮可能に連結されている第一支柱０１と第二支柱０３を備えており、
該第二支柱０３の外径は、第一支柱０１の内径より小さく、第二支柱０３の上端部は、第一支柱０１内に結合され、該第二支柱０３の外壁には、径方向に沿って外側へ突出し、且つ弾性がある位置決めピン３０２が設けられ、第一支柱０１の内壁の所定の位置には、位置決めピン３０２に対応する位置決め溝３０３が設けられ、位置決め溝３０３は、二個または二個以上で、且つ各位置決め溝３０３は、間隔を開けて直線に沿って第一支柱０１の内壁に配置されており、
該第二支柱０３の外壁には、径方向に沿って外側へ突出したブロック３０１が設けられ、該第一支柱０１の内壁には、ブロック３０１が縦方向に沿ってスライドするようにガイドするガイド溝１０１が設けられ、該ガイド溝１０１は、第一支柱０１の内壁に直線状に形成されており、
該第一支柱０１と第二支柱０３との間には圧縮装置が設けられ、該圧縮装置は、内部部品０２と外部部品０４を備え、該第一支柱０１の下端部は該内部部品０２に結合され、内部部品０２は該外部部品０４の外に結合され、内部部品０２と外部部品０４により第一支柱０１と第二支柱０３が相対的に移動できないように締結され、該内部部品０２の内径は、第二支柱０３の外径より大きく、第一支柱０１のガイド溝１０１に対応する内部部品０２の所定の位置には、第二支柱０３のブロック３０１を通過させるための開口２０１が設けられていることを特徴とする回転防止可能な伸縮杖。
【請求項２】
該圧縮装置の内部部品０２と外部部品０４は、ネジにより結合されていることを特徴とする請求項１に記載の回転防止可能な伸縮杖。
【考案の詳細な説明】
【技術分野】
【０００１】
本考案は、杖に関し、特に新規な構造を有している回転防止可能な伸縮杖に関する。
【背景技術】
【０００２】
歩行時の補助具として使用する杖を使用者の様々な高さに対応させるため、当業者たちは長さ調整可能な伸縮型杖を開発した。従来の伸縮型杖は、通常下記の方法又はその方法に類似する方法により、杖の長さを調整する。即ち、第二支柱の外壁には、径方向へ突出し、且つ弾性のある位置決めピンを設け、位置決めピンに対応する第一支柱の内壁の所定の位置には、径方向に沿う複数の位置決め穴を設ける。第二支柱は、第一支柱内に挿入されており、複数の位置決め穴は、間隔を開けて直線に沿って第一支柱の内壁に配置されている。従って、位置決めピンを異なる位置決め穴に結合させることにより、杖の長さを調節する。例えば、本考案者が以前に出願した出願番号が２００８２０２３４８４８．０で、考案の名称が「長さ調整可能な折畳み杖」である中国実用新案においても、上述した方法により、杖の長さを調整する。但し、杖の支柱がほとんど円柱形に形成されているので、上述した方法により杖の長さを調整する際、第一支柱と第二支柱の間に相対的な回転が起こりやすい。杖の長さを調整するとき、第一支柱と第二支柱の間に相対的な回転が起こった場合、第二支柱の位置決めピンを第一支柱の位置決め穴に容易に結合させることができなくなる。また、杖の使用者は、自由に行動できない高齢者が多いので、位置決めピンを位置決め穴に結合させることがより難しくなり、杖の利便性に影響を与える。
【０００３】
考案者は、関連製品を製造、開発及び設計してきた長年間の経験基づいて、上述した問題点を解決することができる本考案を発明した。
【先行技術文献】
【特許文献】
【０００４】
【特許文献１】中国実用新案出願第２００８２０２３４８４８．０号公報
【考案の概要】
【考案が解決しようとする課題】
【０００５】
本考案の目的は、従来の杖に存在する問題点を解決することができる回転防止可能な伸縮杖を提供することにある。
【課題を解決するための手段】
【０００６】
本考案の回転防止可能な伸縮杖は、相対的に伸縮可能に連結されている第一支柱と第二支柱を備える。該第二支柱の外径は、第一支柱の内径より小さく、第二支柱の上端部は、第一支柱内に結合されている。該第二支柱の外壁には、径方向に沿って外側へ突出し、且つ弾性のある位置決めピンが設けられ、位置決めピンに対応する第一支柱の内壁の所定の位置には、位置決め溝が設けられている。位置決め溝は、二個または二個以上で、各位置決め溝は、間隔を開けて直線に沿って第一支柱の内壁に配置されている。該第二支柱の外壁には、径方向に沿って外側へ突出したブロックが設けられている。該第一支柱の内壁には、ブロックが縦方向にスライドするようにガイドするガイド溝が設けられている。該ガイド溝は、第一支柱の内壁に直線状に形成されている。該第一支柱と第二支柱との間には圧縮装置が設けられ、該圧縮装置は、内部部品と外部部品を備える。該第一支柱の下端部は、該内部部品に結合され、内部部品は、該外部部品の外に結合されている。内部部品と外部部品により、第一支柱と第二支柱が相対的に移動できないように締結される。該内部部品の内径は、第二支柱の外径より大きく、第一支柱のガイド溝に対応する内部部品の所定の位置には第二支柱のブロックを通過させるための開口が設けられている。
【考案の効果】
【０００７】
本考案の実施例に係る「回転防止可能な伸縮杖」は、該第二支柱の外壁に設けられているブロックと、該第一支柱の内壁に設けられているガイド溝とを備える新規な構造を有している。本考案と従来の技術を比較してみると、本考案は該ガイド溝とブロックを設置することにより、第一支柱と第二支柱が相対的に回転することを防ぐことができる。製造面から見ると、本考案は構造が簡単であるので、製造をより容易に行うことができ、使用面から見ると、杖の長さを調整することができるので、本考案の利便性を大幅に向上させて、使用者によりよい利便性を提供することができる。また、内部部品と外部部品を設置することにより、第一支柱と第二支柱をより安定に連結させることができる。即ち、本考案は、構造が簡単で、量産しやすく、杖の長さを調整する利便性と、構造的な連結安定性とを向上させることができる利点を有している
【図面の簡単な説明】
【０００８】
【図１】本考案の第一支柱と第二支柱の接続箇所の立体分解図。
【図２】本考案の形態全体の平面図。
【考案を実施するための形態】
【０００９】
図１、図２を参照すると、本考案の好適な実施例に係る回転防止可能な伸縮杖が示されている。下述する実施例は、本考案を説明するものであるが、本考案が下述する構造に制限されるものではない。本考案の回転防止可能な伸縮杖は、伸縮可能に結合されている第一支柱０１と第二支柱０３を備えている。該第二支柱０３の外径は、第一支柱０１の内径より小さく、第二支柱０３の上端部は、第一支柱０１内に嵌入されている。該第二支柱０３の外壁には、径方向に沿って外側へ突出し、且つ弾性のある位置決めピン３０２が設けられ、第一支柱０１の内壁の所定の位置には、位置決めピン３０２に対応する位置決め溝３０３が設けられている。位置決め溝３０３は、二個または二個以上で、各位置決め溝３０３は、間隔を開けて直線に沿って第一支柱０１の内壁に配置されている。該位置決め溝３０３の数量が二個または二個以上であるので、第二支柱０３が第一支柱０１内で移動するとき、位置決めピン３０２を異なる位置決め溝３０３に結合させることにより、杖の長さを調整することができる回転防止可能な伸縮杖を得ることができる。本考案の核心的な技術的特徴は、次の通りである。
【００１０】
該第二支柱０３の外壁には、径方向に沿って外側へ突出したブロック３０１が設けられ、該第一支柱０１の内壁には、ブロック３０１が縦方向に沿ってスライドするようにガイドするガイド溝１０１が設けられている。該ガイド溝１０１は、第一支柱０１の内壁に直線状に形成されている。該ブロック３０１は、ガイド溝１０１内でスライドできるようにガイド溝１０１内に結合される。即ち、第一支柱０１内のガイド溝１０１は、第一支柱０１内で第二支柱０３が直線に沿ってスライドするようにガイドするので、杖の長さを調整するとき、第一支柱０１と第二支柱０３が相対的に回転することを防ぐことができる。従って、位置決めピン３０２を所定の位置決め溝３０３内に結合させることにより、杖の長さを調整するとき、位置決めピン３０２を所定の位置決め溝３０３に容易に結合させることができる。
【００１１】
該第一支柱０１と第二支柱０３との間には、圧縮装置が設けられている。該圧縮装置は、内部部品０２と外部部品０４を備えている。該第一支柱０１の下端部は、該内部部品０２に結合され、内部部品０２は、該外部部品０４の外に結合される。上述した構造により、第一支柱０１と第二支柱０３が相対的に移動できないように締結される。該第二支柱０３の上端部は、内部部品０２を通過した後、第一支柱０１内に挿入される。このとき、内部部品０２と外部部品０４を結合させることにより、第一支柱０１と第二支柱０３との間の接続部を有効に締め付けることができる。該圧縮装置において、内部部品０２と外部部品０４は、ネジによる結合方法を採用することができるが、このような構造に限定されるものではない。該内部部品０２の内径は、第二支柱０３の外径より大きく、第一支柱０１のガイド溝１０１に対応する内部部品０２の所定の位置には、第二支柱０３のブロック３０１を通過せるための開口２０１が設けられている。
【００１２】
上述した本考案の実施形態において、該ガイド溝１０１とブロック３０１を設置することにより、第一支柱０１と第二支柱０３が相対的に回転することを防ぐことができる。製造面から見ると、本考案は構造が簡単であるので、製造をより簡単に行うことができ、使用面から見ると、杖の長さを調整することができるので、本考案の利便性を大幅に向上させて、使用者によりよい利便性を提供することができる。また、内部部品０２と外部部品０４を設置することにより、第一支柱０１と第二支柱０３とをより安定に連結させることができる。具体的には、本考案は、杖の長さを調整する利便性と、構造的な連結安定性を向上させることができ、且つ構造が簡単で、量産しやすい利点を有している。
【００１３】
本考案による効果について、次の通り説明する。本考案に掲示されている「回転防止可能な伸縮杖」は、該第二支柱の外壁に設けられているブロックと、該第一支柱の内壁に設けられているガイド溝とを備える新規な構造を有している。本考案と従来の技術を比較してみると、本考案は該ガイド溝とブロックを設置することにより、第一支柱と第二支柱が相対的に回転することを防ぐことができる。製造面から見ると、本考案は構造が簡単であるので、製造をより簡単に行うことができ、使用面から見ると、杖の長さを調整することができるので、本考案の利便性を大幅に向上させて、使用者によりよい利便性を提供することができる。また、内部部品と外部部品を設置することにより、第一支柱と第二支柱とをより安定に連結させることができる。即ち、本考案は、構造が簡単で、量産しやすく、杖の長さを調整する利便性と、構造的な連結安定性を向上させることができる利点を有している。
【００１４】
上述した実施例に掲示したのは、本考案を具体的に説明するために用いられる内容であり、文の中で専門用語で説明してきたが、それを以て、本考案の実用新案登録請求の範囲を制限されないものとし、この分野が分かる者は、本考案のコンセプトや考えを理解して、それらの変更や改造を行って、それと同等な効果を得たとしても、それらの変更や改造は全て、後述の実用新案登録請求の範囲に含まれるものとする。
【符号の説明】
【００１５】
０１  第一支柱
１０１  ガイド溝
０２  内部部品
２０１  開口
０３  第二支柱
３０１  ブロック
３０２  位置決めピン
３０３  位置決め溝
０４  外部部品
【図１】
0003188581.tif 000003
【図２】
0003188581.tif 000004